(57)【要約】      （修正有）【課題】単一のチップにより粗加工と仕上げ加工とを可能とし、全てのコーナーを有効に活用することができる経済性に優れたチップを提供する。【解決手段】旋削用チップは、複数の刃先を有しており、この刃先のうち少なくとも２つの刃先は同一の刃先角を有し、かつ、その刃先角が９０度以下であり、同一の刃先角を有する刃先は少なくとも２種のノーズ半径を有する。【選択図】図２
2010023144.tif 000002
【特許請求の範囲】
【請求項１】
複数の刃先を有する旋削用チップであって、
前記刃先のうち少なくとも２つの刃先は同一の刃先角を有し、かつ、その刃先角が９０度以下であり、
前記同一の刃先角を有する刃先は少なくとも２種のノーズ半径を有する旋削用チップ。
【請求項２】
前記旋削用チップの対向するすくい面における各対応するコーナーにおける刃先のノーズ半径は同一である請求項１に記載の旋削用チップ。
【請求項３】
前記刃先のノーズ半径は、前記各すくい面においてコーナーごとに相異なる請求項２に記載の旋削用チップ。
【請求項４】
前記旋削用チップはネガチップであり、該ネガチップの同一すくい面内における刃先のノーズ半径は同一である請求項１に記載の旋削用チップ。
【請求項５】
前記旋削用チップは、その側面が無研磨状態である請求項１〜４のいずれかに記載の旋削用チップ。
【請求項６】
少なくとも２種の前記ノーズ半径のうち、最大のノーズ半径が、最小のノーズ半径の整数倍である請求項１〜５のいずれかに記載の旋削用チップ。
【請求項７】
前記最大のノーズ半径は、前記最小のノーズ半径の２倍以上である請求項６に記載の旋削用チップ。
【発明の詳細な説明】
【技術分野】
【０００１】
本発明は、旋削加工に用いる切削工具に関する。
【背景技術】
【０００２】
切削加工において、切削工具のノーズ半径の選定は非常に重要であることが知られている（特許文献１および特許文献２等）。たとえば、特許文献１には、コーナー半径（ノーズ半径）の大きさは、切れ刃寿命や寸法精度等に影響するものであり、加工材の種類および加工条件に応じて最適なものを選択しなければ、不良品を出すなどの多大な損失を被ることがあるという問題点が挙げられている。
【０００３】
被削材の種類や複数の加工条件等に対応できる切削工具として、図１３に示すようにチップの鋭角コーナー部のノーズ半径をＲｅとし、鈍角コーナー部のノーズ半径をＲｄとした切削工具が提案されている（たとえば、特許文献３）。特許文献３に開示された切削工具は、鈍角コーナー部を鋭角コーナー部よりも強化し旋削荒加工（旋削粗加工）における刃先寿命を改善することにより、鈍角コーナー部の使用頻度を高め、経済性を向上させることを目的とするものである。
【特許文献１】特開平１１−２３５６０７号公報
【特許文献２】特開２００１−３２２０２２号公報
【特許文献３】特開２００７−７７３６号公報
【発明の開示】
【発明が解決しようとする課題】
【０００４】
近年、チップなどの切削工具の性能は年々向上しており、個々のチップの寿命が長くなってきている。このような状況下、上記特許文献３に提案されるような切削工具は複数の切削条件等に対応できるものの、たとえば鋭角コーナー部が寿命を迎えた場合には、該コーナー部に対応する切削を行なうために鈍角コーナー部が未使用の状態でチップを交換する必要があった。この場合、未使用の鈍角コーナー部を有するチップを在庫として保管しなければならなかった。また、上述のように旋削粗加工における寿命を考慮したものであることから、切削と仕上げのように異種の切削を可能とするものではなかった。
【０００５】
本発明は、上記問題点に鑑みてなされたものであり、１つのチップにより粗加工と仕上げ加工とを可能とし、全てのコーナーを有効に活用することができる経済性に優れたチップを提供することを目的とする。
【課題を解決するための手段】
【０００６】
本発明の旋削用チップは、複数の刃先を有し、この刃先のうち少なくとも２つの刃先は同一の刃先角を有し、かつ、その刃先角が９０度以下であり、同一の刃先角を有する刃先は少なくとも２種のノーズ半径を有することを特徴とする。
【０００７】
上記旋削用チップの対向するすくい面における各対応するコーナーにおける刃先のノーズ半径は同一であることが好ましく、また、各すくい面におけるコーナーごとに異なるノーズ半径を有することが好ましい。
【０００８】
また、上記旋削用チップはネガチップであり、該ネガチップの同一すくい面内における刃先のノーズ半径は同一であることが好ましい。
【０００９】
また、旋削用チップは、その側面が無研磨状態であることが好ましい。
本発明において、少なくとも２種の上記ノーズ半径のうち、最大のノーズ半径が、最小のノーズ半径の整数倍であることが好ましく、また、最大のノーズ半径が最小のノーズ半径の２倍以上であることが好ましい。
【発明の効果】
【００１０】
本発明によれば、形状（刃先角）が同一でノーズ半径のみが異なる刃先を単一のチップが備えるので、被削材の粗加工と仕上げ加工とを同一のチップで行なうことが可能となる。その結果、加工効率を向上させることができ、また、チップの全てのコーナーを有効に活用することが可能となる。
【発明を実施するための最良の形態】
【００１１】
＜旋削用チップ＞
本発明の旋削用チップは、旋削加工用刃先交換型切削チップとして有効に用いることができ、たとえば、基材と該基材上に形成された被膜とを備える構成とすることができる。被膜を含む場合は、該被膜の組成を調整することで対象とする被削材を多種多様にすることができ、たとえば鋼や鋳鉄などの旋削加工用刃先交換型切削チップとして有用なものとすることができる。
【００１２】
このようなチップとしては、切削面が片面であり、かつ、すくい面が基準面に対してプラス角であるいわゆるポジチップと、切削面が両面であり、かつ、すくい面が基準面に対してマイナス角であるいわゆるネガチップのいずれを用いてもよい。なお、ポジチップにおいては、ノーズ半径の種類が多く、寿命が長いことが一般的であるが、このようなポジチップは従来、特定のノーズ半径Ａを有する刃先は２つ備えられた同一形状のものがおよそ１０個のセットとして市販されているため、例えば使用頻度の低いノーズ半径を有する刃先を備えたセットは長期保管しなければならず、必ずしもコストパフォーマンスのよいものではなかった。一方、本発明の場合は、２つの刃先のうち１つの刃先のみが特定のノーズ半径Ａを有することになるので、特定のノーズ半径Ａに関してチップの寿命は低下し、その結果、チップの交換が必要となる。そして、セットの全てのチップが使用され得ることとなり、在庫保持などの問題が解消される。このように、上記本発明の旋削用チップによれば複数のノーズ半径を単一のチップが備えるので効率のよい切削が可能であり、特にネガチップにおいてコストでの本発明の効果が大きい。
【００１３】
＜基材＞
本発明の旋削用チップの基材としては、このようなチップの基材として知られる従来公知のものを特に限定なく使用することができる。具体的には、超硬合金（例えばＷＣ基超硬合金、ＷＣの他、Ｃｏを含み、あるいはさらにＴｉ、Ｔａ、Ｎｂ等の炭窒化物等を添加したものも含む）、サーメット（ＴｉＣ、ＴｉＮ、ＴｉＣＮ等を主成分とするもの）、高速度鋼、セラミックス（炭化チタン、炭化ケイ素、窒化ケイ素、窒化アルミニウム、酸化アルミニウム、およびこれらの混合体など）、立方晶型窒化硼素焼結体、ダイヤモンド焼結体等を例示することができる。このような基材として超硬合金を使用する場合、そのような超硬合金は組織中に遊離炭素やη相と呼ばれる異常相を含んでいても本発明の効果は示される。なお、これらの基材は、その表面が改質されたものであっても差し支えない。たとえば、超硬合金の場合はその表面に脱β層がされていたり、サーメットの場合には表面硬化層が形成されていたりしてもよく、このように表面が改質されていても本発明の効果は示される。
【００１４】
＜被膜＞
本発明の旋削用チップの上記基材上に被膜を形成する場合、このような被膜の組成は特に限定されず、従来公知の１層または２層以上からなる被膜を適用することができる。被膜は、基材上の全面を被覆するもののみに限定されるものではなく、部分的に被膜が形成される態様をも含む。
【００１５】
＜刃先＞
本発明の旋削用チップは複数の刃先を有し、この刃先のうち少なくとも２つの刃先は同一の刃先角（頂角）を有する。複数の刃先において、少なくとも２つの刃先を同一の刃先角とすることによって、粗加工と仕上げ加工とを単一のチップにより施すことが可能となるので、加工ごとのチップ交換等を省略でき、製造効率を高めることができる。なお、本発明において、刃先とはチップのコーナーのうち切れ刃を備えた部分をいい、刃先角とは、ＪＩＳ  Ｂ  ４１２０（１９９８）により規格化されたチップ形状として規定されたものであり、各刃先において２本の刃先稜線がなす角である。本発明において同一とは実質的に同一なものを含み必ずしも完全一致のみをいうものではない。このような実質的に同一なものとは、誤差の範囲を含むものであり、刃先角におけるこの誤差の範囲は±３０′である。
【００１６】
本発明の旋削用チップの刃先の刃先角は９０度以下である。刃先角が９０度以下である刃先を備えた旋削用チップの形状としては、ＪＩＳ  Ｂ  ４１２０（１９９８）またはＩＳＯ１８３２に規格されるＳ型（正方形、刃先角９０度）、Ｔ型（正三角形、刃先角６０度）、Ｃ型（菱形、刃先角８０度）、Ｄ型（菱形、刃先角５５度）、Ｖ型（菱形、刃先角３５度）等が挙げられるが、これらに限定されるものではなく、所望の形状で刃先角が９０度以下であれば、いずれの形状であってもよい。
【００１７】
本発明において、上記同一の刃先角を有する刃先は少なくとも２種のノーズ半径を有する。このように、同一の刃先角を有する刃先のノーズ半径が２種以上存在するので、粗加工と仕上げ加工とを単一のチップで行なうことが可能となる。また、このように単一のチップで粗加工と仕上げ加工とを行なう場合は、チップの全コーナーが使用されることになり、従来のように一部のコーナーを使用したチップを多数在庫として保有しなければならないということが少なくなる。なお、ノーズ半径とは、ＪＩＳ  Ｂ  ４１２０（１９９８）により規格化された各刃先の基準内接円直径をいう。また、以下においてノーズ半径がａ（ｍｍ）の場合をａＲと表記する場合がある。
【００１８】
本発明においては同一の刃先角のノーズ半径が異なるため、これらの識別を容易にするために、たとえば、ネガチップにおいて上面と下面とでノーズ半径を変更することや、対向する上下すくい面における各対応するコーナーの刃先は同じノーズ半径にしておくことが有効である。
【００１９】
具体的には、刃先のノーズ半径を、旋削用チップの上下対向するすくい面の各対応するコーナーにおいて同一のノーズ半径とすることが好ましい。このように対向する上下すくい面の各対応するコーナーのノーズ半径が同一の場合は、チップがケースに入ったままの状態で識別することが可能であり、特に側面が無研磨の状態のままであるときは、この識別性が特に有効である。
【００２０】
また、上記のように上下対向するすくい面の各対応するコーナーにおいて同一のノーズ半径とする場合、各すくい面のコーナーごとのノーズ半径は相異なるものとすることが好ましい。このような形態とすることによって、より幅広い加工に対応させることができる。
【００２１】
本発明において、ネガチップを使用する場合は、該ネガチップの同一すくい面内における刃先のノーズ半径は同一とすることができる。この場合、たとえば、一方のすくい面で粗加工を行ない、その後すくい面をかえて仕上げ加工を行なうので、切れ刃の選択を誤る可能性が著しく低くなる。
【００２２】
＜ノーズ半径＞
本発明において、上記ノーズ半径の大きさは特に限定されないが、最大のノーズ半径が、最小のノーズ半径の整数倍であることが好ましく、また、最大のノーズ半径が最小のノーズ半径の２倍以上であることが好ましい。このようなノーズ半径に設計することで、単一のチップでより幅広い加工に対応させることができ、工具コストを低減することができる。上記幅広い加工としては、例えば、粗加工に１．２Ｒや０．８Ｒを用い、仕上げ加工に１．２Ｒや０．４Ｒを使用する場合などが挙げられる。また、種々の部品を加工することが可能であり、加工部分に最適なノーズ半径を単一のチップで選択し得るので加工効率を向上させることができる。
【００２３】
＜研磨＞
本発明の旋削用チップは、上記のような形状を有する限り、側面（逃げ面）または上下すくい面の少なくともいずれが研磨されていても有効である。この場合、研磨対象となる旋削用チップは、基材のみからなってもよいし、基材に対して被膜が形成されていてもよい。なお、研磨のかわりに、側面または上下すくい面の少なくともいずれかが表面処理されていても本発明の効果は奏される。なお、側面を研磨するチップの場合には、同一コーナーの上下の刃先は同じノーズ半径にしておくことが工業的に有利である。
【００２４】
＜マーキング＞
旋削用チップの刃先に識別性を付与するためには、すくい面の切れ刃毎のコーナーに識別用の刻印（マーキング）をする方法も有効である。このようなマーキング方法は特に限定されず、たとえば旋削用チップの製造工程におけるプレスと同時に刻印を付してもよいし、加工後にレーザマークやボールエンドミルなどにより刻印を付してもよい。また、刻印の形状は、それぞれの刃先のノーズ半径に対応させて識別性を付与すれば、どのような形状でも採用することができる。
【００２５】
＜チップブレーカー＞
本発明は、旋削用チップにチップブレーカーがあっても無くても有効であり、またコーナー毎にチップブレーカーが異なっていても有効である。その他、コーナー毎に刃先処理が異なっていても本発明の形状による効果は奏される。
【００２６】
以下、本発明についてさらに詳細に説明する。なお、以下の実施の形態の説明では、図面を用いて説明しているが、本願の図面において同一の参照符号を付したものは、同一部分または相当部分を示している。
【００２７】
（実施の形態１−１）
実施の形態１−１においては、超硬合金に対してＣＶＤ法によってコーティング材質ＡＣ２０００（住電ハードメタル（株）製）でコーティングした、刃先角が８０度である刃先を４つ備えたネガチップ（ＣＮＭＡ１２０４形状）を用いた場合の刃先の形状について説明する。このような形状のネガチップは、通常、たとえば図１の典型的な旋削用チップの模式図に示されるものであり、図１中に示すように、切れ刃Ａ〜Ｄ（図中Ｄは、切れ刃Ｂの対向するすくい面における切れ刃を示す）の４つの刃先を有する。
【００２８】
図２は実施の形態１−１における旋削用チップの切削面の形状の概略を示す図であり、図２（ａ）は実施の形態１−１における旋削用チップの上面概略図であり、図２（ｂ）は実施の形態１−１における旋削用チップの下面概略図である。実施の形態１−１においては、旋削用チップの上面の２つのノーズ半径を０．４ｍｍとし、下面の２つのノーズ半径を１．２ｍｍとする。そして、ノーズ半径を目視により容易に確認できるように、上記ノーズ半径に対応する刻印として、ノーズ半径が０．４ｍｍの場合に「０４」の刻印を付し（図２（ａ））、ノーズ半径が１．２ｍｍの場合に「１２」の刻印を付す（図２（ｂ））。なお、側面は無研磨の状態とした。
【００２９】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００３０】
（実施の形態１−２）
実施の形態１−２においては、対向するすくい面の同一コーナーのノーズ半径が同一となるように処理した以外は、実施の形態１−１と同形状の旋削用チップである。
【００３１】
具体的には、図３（ａ）および図３（ｂ）に示すように、旋削用チップの上面の２つのノーズ半径をそれぞれ０．４ｍｍと１．２ｍｍとし、下面の２つのノーズ半径を、それぞれ各対応するのコーナーの上面のノーズ半径と同じく、０．４ｍｍと１．２ｍｍとする。そして、これらノーズ半径の識別性を確保するために、実施の形態１−１と同様にノーズ半径が０．４ｍｍの場合に「０４」の刻印を付し、ノーズ半径が１．２ｍｍの場合に「１２」の刻印を付す。
【００３２】
このように、少なくとも２つの刃先が同一の刃先角を有し、それらのノーズ半径を異ならしめることによって、同一の形状の粗加工と仕上げ加工とを単一の旋削用チップで行なうことが可能となる。また、同一のコーナーに同一の刃先角およびノーズ半径を有する刃先を設けることによって、単一のチップでより幅広い加工に対応させることができ、工具コストを低減することができる。
【００３３】
（実施の形態１−３）
実施の形態１−３においては、４つの切れ刃のノーズ半径がそれぞれ相異なるものとなるように処理した以外は、実施の形態１−１と同形状の旋削用チップである。
【００３４】
具体的には、図４（ａ）および図４（ｂ）に示すように、旋削用チップの上面の２つのノーズ半径をそれぞれ０．４ｍｍと０．８ｍｍとし、下面の２つのノーズ半径をそれぞれ１．２ｍｍと１．６ｍｍとする。そして、これらノーズ半径の識別性を確保するために、実施の形態１−１と同様にノーズ半径が０．４ｍｍの場合に「０４」の刻印を付し、ノーズ半径が０．８ｍｍの場合に「０８」の刻印を付し、ノーズ半径が１．２ｍｍの場合に「１２」の刻印を付し、ノーズ半径が１．６ｍｍの場合に「１６」の刻印を付す。
【００３５】
このように、少なくとも２つの刃先が同一の刃先角を有し、それらのノーズ半径を異ならしめることによって、同一の形状の粗加工と仕上げ加工とを単一の旋削用チップで行なうことが可能となる。また、全ての刃先が異なるノーズ半径を有する刃先を設けることによって、粗加工や仕上げ加工、また、特定のノーズ半径を必要とする加工等、単一のチップで幅広い加工に対応が可能となる。
【００３６】
（実施の形態２−１）
実施の形態２−１は、ノーズ半径の識別力を向上させるために刻印として丸印を用いたものであり、ノーズ半径が０．４ｍｍの場合に丸印の刻印を１つ（図５（ａ））、ノーズ半径が１．２ｍｍの場合に丸印の刻印を３つ（図５（ｂ））付した以外は、実施の形態１−１と同一の旋削用チップである。
【００３７】
このようにノーズ半径に対応する刻印を付することにより、数値を刻印するスペースおよび煩雑さを解消することができ、かつ識別性を維持することができる。
【００３８】
（実施の形態２−２）
実施の形態２−２は、ノーズ半径の識別力を向上させるために刻印として丸印を用いたものであり、図６（ａ）および図６（ｂ）に示すように、ノーズ半径が０．４ｍｍの場合に丸印の刻印を１つ、ノーズ半径が１．２ｍｍの場合に丸印の刻印を３つ付した以外は、実施の形態１−２と同一の旋削用チップである。
【００３９】
このようにノーズ半径に対応する刻印を付することにより、数値を刻印するスペースおよび煩雑さを解消することができ、かつ識別性を維持することができる。
【００４０】
（実施の形態２−３）
実施の形態２−３は、ノーズ半径の識別力を向上させるために刻印として丸印を用いたものであり、図７（ａ）および図７（ｂ）に示すように、ノーズ半径が０．４ｍｍの場合に丸印の刻印を１つ、ノーズ半径が０．８ｍｍの場合に丸印の刻印を２つ、ノーズ半径が１．２ｍｍの場合に丸印の刻印を３つ、ノーズ半径が１．６ｍｍの場合に丸印の刻印を４つ付した以外は、実施の形態１−３と同一の旋削用チップである。
【００４１】
このようにノーズ半径に対応する刻印を付することにより、数値を刻印するスペースおよび煩雑さを解消することができ、かつ識別性を維持することができる。
【００４２】
（実施の形態３）
実施の形態３においては、サーメットＴ１２００Ａ、刃先角が６０度である刃先を６つ（上面３つ、下面３つ）備えた正三角形のネガチップ（ＴＮＧＡ１６０４形状）を用いた場合の刃先の形状について説明する。
【００４３】
図８（ａ）は実施の形態３における旋削用チップの切削面の形状の概略を示す図である。実施の形態３においては、旋削用チップの上面の３つのノーズ半径をそれぞれ、０．０５ｍｍ、０．１０ｍｍ、０．１５ｍｍとし、下面の３つのノーズ半径については、同一コーナーのノーズ半径が上下面で同一となるように処理した。そして、ノーズ半径を目視により容易に確認できるように、上記ノーズ半径に対応する刻印として、ノーズ半径が０．０５ｍｍの場合に「００５」の刻印を付し、ノーズ半径が０．１０ｍｍの場合に「０１０」の刻印を付し、ノーズ半径が０．１５ｍｍの場合に「０１５」の刻印を付す（図８（ａ））。なお、側面はダイヤモンド砥石によって、研磨された状態とした。
【００４４】
このように、少なくとも２つの刃先が同一の刃先角を有し、それらのノーズ半径を異ならしめることによって、同一の形状の粗加工と仕上げ加工とを単一の旋削用チップで行なうことが可能となる。また、実施の形態３のようにノーズ半径が小さくなる場合は、刻印による識別性の付与が有効であることがわかる。
【００４５】
（実施の形態４）
実施の形態４は、ノーズ半径の識別力を向上させるために刻印として丸印を用いたものであり、図８（ｂ）に示すように、ノーズ半径が０．０５ｍｍの場合に丸印の刻印を１つ、ノーズ半径が０．１０ｍｍの場合に丸印の刻印を２つ、ノーズ半径が０．１５ｍｍの場合に丸印の刻印を３つ付した以外は、実施の形態３と同一の旋削用チップである。
【００４６】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００４７】
（実施の形態５）
実施の形態５においては、ＰＶＤコーティング材質ＡＣＺ３１０（住電ハードメタル（株）製）、刃先角が３５度である刃先を４つ（上面２つ、下面２つ）備えた菱形のネガチップ（ＶＮＧＡ１６０４形状）を用いた場合の刃先の形状について説明する。
【００４８】
図９は実施の形態５における旋削用チップの切削面の形状の概略を示す図である。実施の形態５においては、旋削用チップの上面の２つのノーズ半径をそれぞれ、０．１ｍｍ、０．２ｍｍとし、下面の２つのノーズ半径については、同一コーナーのノーズ半径が上下面で同一となるように処理した。そして、ノーズ半径を目視により容易に確認できるように、上記ノーズ半径に対応する刻印として、ノーズ半径が０．１ｍｍの場合に「０１」の刻印を付し、ノーズ半径が０．２ｍｍの場合に「０２」の刻印を付す。なお、側面はダイヤモンド砥石により、研磨された状態とした。
【００４９】
このように、少なくとも２つの刃先が同一の刃先角を有し、それらのノーズ半径を異ならしめることによって、同一の形状の粗加工と仕上げ加工とを単一の旋削用チップで行なうことが可能となる。また、実施の形態５のようにノーズ半径が小さくなる場合は、刻印による識別性の付与が有効であることがわかる。
【００５０】
（実施の形態６）
実施の形態６は、ノーズ半径の識別力を向上させるために刻印として三角印を用いたものであり、図１０に示すように、ノーズ半径が０．１ｍｍの場合に三角印の刻印を１つ、ノーズ半径が０．２ｍｍの場合に三角印の刻印を２つ付した以外は、実施の形態５と同一の旋削用チップである。
【００５１】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００５２】
（実施の形態７）
実施の形態７においては、超硬合金Ｈ１（ＪＩＳ規格）、刃先角が５５度である刃先を２つ（上面２つ）備えた菱形のポジチップ（ＤＣＧＴ１１Ｔ３形状）を用いた場合の刃先の形状について説明する。
【００５３】
図１１（ａ）は実施の形態７における旋削用チップの切削面の形状の概略を示す図である。実施の形態７においては、旋削用チップの２つのノーズ半径をそれぞれ、０．０５ｍｍと０．１ｍｍとした。そして、ノーズ半径を目視により容易に確認できるように、上記ノーズ半径に対応する刻印として、ノーズ半径が０．０５ｍｍの場合に「００５」の刻印を付し、ノーズ半径が０．１ｍｍの場合に「０１」の刻印を付す。なお、側面はダイヤモンド砥石によって研磨された状態とした。
【００５４】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００５５】
（実施の形態８）
実施の形態８は、ノーズ半径の識別力を向上させるために刻印として棒印を用いたものであり、図１１（ｂ）に示すように、ノーズ半径が０．０５ｍｍの場合に棒印を１つ刻印し、ノーズ半径が０．１ｍｍの場合に２つの棒印を付した以外は、実施の形態７と同一の旋削用チップである。
【００５６】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００５７】
（実施の形態９）
実施の形態９においては、窒化ケイ素セラミックＮＳ２６０（住友電工ハードメタル製）で、刃先角が９０度である刃先を８つ（上面４つ、下面４つ）備えた正方形のネガチップ（ＳＮＭＡ１２０４形状）を用いた場合の刃先の形状について説明する。
【００５８】
図１２（ａ）は実施の形態９における旋削用チップの切削面の形状の概略を示す図である。実施の形態９においては、旋削用チップの上面４つの刃先のノーズ半径をそれぞれ、０．４ｍｍ、０．８ｍｍ、０．８ｍｍ、１．２ｍｍとした。また、旋削用チップの下面４つの刃先のノーズ半径は、同一コーナーのノーズ半径が上下面で同一となるように処理した。そして、ノーズ半径を目視により容易に確認できるように、上記ノーズ半径に対応する刻印として、ノーズ半径が０．４ｍｍの場合に「０４」の刻印を付し、ノーズ半径が０．８ｍｍの場合に「０８」の刻印を付し、ノーズ半径が１．２ｍｍの場合に「１２」の刻印を付す。実施の形態９では、上記刻印はボールエンドミルを用いて行なった。なお、側面は無研磨の状態とした。
【００５９】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００６０】
（実施の形態１０）
実施の形態１０は、ノーズ半径の識別力を向上させるために、刻印として丸印を用いたものであり、図１２（ｂ）に示すように、ノーズ半径が０．４ｍｍの場合に丸印を１つ刻印し、ノーズ半径が０．８ｍｍの場合に２つの丸印を付し、ノーズ半径が１．２ｍｍの場合に３つの丸印を刻印した以外は、実施の形態９と同一の旋削用チップである。
【００６１】
このように、少なくとも２つの刃先が同一の刃先角を有し、それらのノーズ半径を異ならしめることによって、同一の形状の粗加工と仕上げ加工とを単一の旋削用チップで行なうことが可能となる。
【００６２】
上記各実施の形態１−１〜１０における形状の旋削用チップは、いずれも図１３に示すような従来の旋削用チップに比べて、単一のチップで広範な切削条件等に対応させることが可能である。
【００６３】
以上のように本発明の実施の形態について説明を行なったが、上述の各実施の形態の構成を適宜組み合わせることも当初から予定している。
【００６４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６５】
【図１】典型的な旋削用チップの模式図である。
【図２】（ａ）は実施の形態１−１における旋削用チップの上面概略図であり、（ｂ）は実施の形態１−１における旋削用チップの下面概略図である。
【図３】（ａ）は実施の形態１−２における旋削用チップの上面概略図であり、（ｂ）は実施の形態１−２における旋削用チップの下面概略図である。
【図４】（ａ）は実施の形態１−３における旋削用チップの上面概略図であり、（ｂ）は実施の形態１−３における旋削用チップの下面概略図である。
【図５】（ａ）は実施の形態２−１における旋削用チップの上面概略図であり、（ｂ）は実施の形態２−１における旋削用チップの下面概略図である。
【図６】（ａ）は実施の形態２−２における旋削用チップの上面概略図であり、（ｂ）は実施の形態２−２における旋削用チップの下面概略図である。
【図７】（ａ）は実施の形態２−３における旋削用チップの上面概略図であり、（ｂ）は実施の形態２−３における旋削用チップの下面概略図である。
【図８】（ａ）は実施の形態３における旋削用チップの切削面を示す概略図であり、（ｂ）は実施の形態４における旋削用チップの切削面を示す概略図である。
【図９】実施の形態５における旋削用チップの第１および第２切削面を示す概略図である。
【図１０】実施の形態６における旋削用チップの第１および第２切削面を示す概略図である。
【図１１】（ａ）は実施の形態７における旋削用チップの切削面を示す概略図であり、（ｂ）は実施の形態８における旋削用チップの切削面を示す概略図である。
【図１２】（ａ）は実施の形態９における旋削用チップの切削面を示す概略図であり、（ｂ）は実施の形態１０における旋削用チップの切削面を示す概略図である。
【図１３】従来の切削工具の形状およびノーズ半径を示す模式図である。
【図１】
2010023144.tif 000003
【図２】
2010023144.tif 000004
【図３】
2010023144.tif 000005
【図４】
2010023144.tif 000006
【図５】
2010023144.tif 000007
【図６】
2010023144.tif 000008
【図７】
2010023144.tif 000009
【図８】
2010023144.tif 000010
【図９】
2010023144.tif 000011
【図１０】
2010023144.tif 000012
【図１１】
2010023144.tif 000013
【図１２】
2010023144.tif 000014
【図１３】
2010023144.tif 000015